(57)【特許請求の範囲】
【請求項１】
顔全面を被覆し、目、鼻及び口部分に開口部を有する美容用フェイスマスクであって、左側部、中央部及び右側部の少なくとも３枚以上のシート材からなり、該シート材同士が圧着されてなり、前記シート材に化粧料が含浸される、美容用フェイスマスク。
【請求項２】
前記シート材に、立体形成手段が部分的に配置され、それによりシート材全体が顔面を覆うように立体的に構成されている、請求項１に記載の美容用フェイスマスク。
【発明の詳細な説明】
【技術分野】
【０００１】
本発明は、美容用フェイスマスクに関し、詳しくは、美容液や化粧水等の化粧料を含浸させて人の顔面を被覆しうる美容用フェイスマスクに関する。
【背景技術】
【０００２】
従来、美容用フェイスマスクは、平面状のものが用いられている。しかしながら、平面状のフェイスマスクは、顔面の凹凸に全面的に密着させることが困難であり、部分的に顔から浮いて密着不十分な箇所が生じたり、少しの顔面の動きによって剥離したりするという問題がある。
このような問題を解決するために、近年、顔面に密着することができる立体的なフェイスマスクが検討されている（例えば特許文献１を参照）。
【先行技術文献】
【特許文献】
【０００３】
【特許文献１】特開２００７−３３０３２９号公報
【発明の概要】
【発明が解決しようとする課題】
【０００４】
一般的に、特許文献１に記載されているような立体的なフェイスマスクは、顔面の左半面及び右半面をそれぞれ被覆する２枚の不織布を、額部分から鼻先部分を経て顎先部分に至る形状に沿うように熱圧着することで製造される。そして、このような立体的なフェイスマスクを使用者が装着する際には、マスクの左右を引っ張りながら顔面に密着させる。
しかしながら、マスクの左右を引っ張ると、圧着部分を裂く方向に力がかかるため、美容液や化粧水を含浸させたマスクでは圧着部分から剥がれてしまい、２枚の不織布に分裂して使用性を損なうことがある。また、前記圧着部分は顔の中心線に沿って形成されているため、使用者が最も手入れすることを望んでいる額及び鼻筋（いわゆるＴゾーン）においてマスクが浮いて密着不十分になり、Ｔゾーンに美容液や化粧水を十分に浸透させることができないことがある。
【０００５】
本発明の課題は、額及び鼻筋のいわゆるＴゾーンに美容液や化粧水等の化粧料を十分に浸透させることができ、装着時に圧着部が剥がれにくい、美容用フェイスマスクを提供することにある。
【課題を解決するための手段】
【０００６】
すなわち、本発明は、顔全面を被覆し、目、鼻及び口部分に開口部を有する美容用フェイスマスクであって、左側部、中央部及び右側部の少なくとも３枚以上のシート材からなり、該シート材同士が圧着されてなり、前記シート材に化粧料が含浸される、美容用フェイスマスクを提供する。
【発明の効果】
【０００７】
本発明の美容用フェイスマスクは、シート材同士の圧着部を顔の中心線に有しないため、額及び鼻筋のいわゆるＴゾーンに美容液や化粧水等の化粧料を十分に浸透させることができる。また、圧着部が複数あるため、装着時にマスクの左右を引っ張っても前記圧着部にかかる力が分散し、前記圧着部が剥がれにくい。
【図面の簡単な説明】
【０００８】
【図１】図１は、本発明の美容用フェイスマスクの斜視図である。
【発明を実施するための形態】
【０００９】
以下、本発明の好ましい一実施態様について、添付の図面に基づいて詳細に説明する。図１は、本発明の美容用フェイスマスクの斜視図である。
【００１０】
図１に示す美容用フェイスマスク１は、顔全面を被覆するものであり、立体的に形成されている。美容用フェイスマスク１は、目、鼻及び口部分に開口部６（６１、６２及び６３）を有する。開口部６は、完全に開口していなくともよく、一部が結合したスリットであってもよい。特に、目の部分の開口部６１は、まぶたに化粧料を浸透させる観点から、一部が結合した円弧状スリットであることが好ましい。また、鼻の部分の開口部６２は、小鼻に化粧料を浸透させる観点から、一部が結合したスリットであることが好ましい。
【００１１】
美容用フェイスマスク１は、３枚の縦長のシート材２、３及び４からなり、３枚のシート材２、３及び４はそれぞれ、顔の左側部、中央部及び右側部を被覆する。例えば、３枚のシート材２、３及び４は、図示したように、左右それぞれのこめかみから目尻に至るライン並びに目頭から鼻及び口の脇を経て下顎に至るライン５に沿って熱圧着されていることが好ましい。なお、シート材同士を圧着して形成されてなる圧着部５は、任意の幅で形成されてよく、圧着部５の根元５１から圧着部５の端部５２までの幅の広さは特に制限されない。熱圧着部を大きくし、肌当接面に設置してもよく、これにより熱圧着部から化粧料が潤沢に供給され、化粧料の効果的な肌への浸透が可能となる。さらに熱圧着部をひだ状等の形状に加工することで、化粧料の供給効果や、フェイスマスクを装着した時の使用感をより向上させることもできる。
【００１２】
各シート材は、顔面に密着するように立体的に構成されていることが好ましい。そのため、各シート材において、立体形成手段が部分的に配置されていることが好ましい。立体形成手段とは例えば、シート材を折り返し重ね合わせ、部分的に接合しマチ７を形成することや、マチを筒状又は袋状の空間を有するように接合し形成すること、またシート材に切れ込み又は切り欠き部を入れることや、それらの裁断端部を部分的に重ね合わせ接合する方法等が挙げられる。また、マチ等の立体形成手段は、図示したように顎先部分や頬部分に形成されていてもよく、目尻からこめかみに至る位置等に形成されていてもよい。
【００１３】
シート材２、３及び４には、美容液、乳液、化粧水等の化粧料が含浸される。シート材２、３及び４の材質は、塩化ビニル、ポリウレタン、ポリエステル、ポリエチレン等の化学繊維、綿、毛等の自然繊維、樹脂、ゴム等により構成される編地、織り地、不織布、フィルム、樹脂形成体等、特に限定されないが、成形容易性、熱圧着可能性、薬液の含浸性及びコストの観点から、不織布が好ましい。
【００１４】
本発明のフェイスマスクは、少なくとも３枚以上のシート材からなり、立体的に形成されているため、顔面の凹凸に全面的に密着させることができる。
また、本発明のフェイスマスクは、シート材同士の圧着部が複数あるため、装着時にマスクの左右を引っ張っても前記圧着部にかかる力が分散し、前記圧着部が剥がれにくい。また、額及び鼻筋のいわゆるＴゾーンに沿った圧着部を有しないため、該Ｔゾーンにおける密着性に優れ、該Ｔゾーンに美容液や化粧水等の化粧料を十分に浸透させることができる。
【００１５】
なお、例えば特開２００２−１７２０２２号公報に記載されているような立体フェイスマスクが知られているが、当該マスクは、着用のためにゴムバンドや紐を必要としており、薬液を含浸させて顔に密着させることを意図していない。また、当該マスクは、植物性炭素繊維を用いた生地を用いているため、縫製によってのみ成形することができ、熱圧着によっては成形することができない。
これに対し、本発明のフェイスマスクは、上述のとおり、美容液や化粧水等の化粧料を含浸させた場合における圧着部の剥がれを防止するものであり、前記公報に記載されたマスクとは発明の目的、構成及び効果が全く異なる。
【００１６】
以上、本発明をその好ましい一実施態様に基づき説明したが、本発明は前記一実施態様に制限されるものではない。例えば、図１に示した態様は、３枚のシート材からなるマスクであるが、４枚以上のシート材からなるマスクであってもよく、さらに額及び鼻筋のいわゆるＴゾーンに沿った圧着部をなくすために４枚以上で奇数枚のシート材からなるマスクであるのがより好ましい。
【産業上の利用可能性】
【００１７】
本発明のフェイスマスクは、美容液や化粧水等の化粧料を含浸させて人の顔面を被覆しうる美容用フェイスマスクとして好適に用いられる。
【符号の説明】
【００１８】
１  美容用フェイスマスク
２  シート材（左側部）
３  シート材（中央部）
４  シート材（右側部）
５  圧着部
５１  圧着部の根元
５２  圧着部の端部
６  開口部
６１  目の開口部
６２  鼻の開口部
６３  口の開口部
７  マチ
【図１】
0005415932.tif 000002